(57)【要約】【課題】使用後に濾過ケースから垂れ落ちる水を容器で受け止めることができ、しかも非使用時の嵩が小さい濾過器を提供する。【解決手段】濾過器を用いて廃水濾過を行うには濾過ケース５を容器１の上に起立させ濾過ケース５内に廃水を流し込む。この廃水は、活性炭層８で濾過されて容器１内に清浄な水が落下する。濾過器の使用が終了した後は、突部９が切欠部３に合致するように濾過ケース５の向きを変え、濾過ケース５を容器１内に収容する。この際、突部９は切欠部３を通過し、フランジ１０がフランジ２に重なる。濾過ケース５の高さが容器１よりも小さいので、濾過ケース５の底面は容器１の底面から浮いた状態となり、濾過ケース５の水切りが良くなる。【選択図】図１
2005288258.tif 000002
【特許請求の範囲】
【請求項１】
上部が開放した容器と、該容器内に収容された収容状態及び該容器上に起立した使用状態を採り得る濾過ケースとを備えてなり、該使用状態にある濾過ケース内に廃水を流し込み、濾過ケース底部から流出した濾過水を該容器内に落下させるようにしてなる濾過器。
【請求項２】
請求項１において、該容器及び濾過ケースはいずれも円筒状であり、
該容器の上部内周には内向き鍔状のフランジが周設され、該フランジの内周縁には複数の切欠部が設けられており、前記濾過ケースの下部外周には、収容時には該切欠部を通過しうると共に使用時には該フランジの上に載置しうる突部が設けられていることを特徴とする濾過器。
【請求項３】
請求項２において、該濾過ケースの高さは該容器よりも小さく、該濾過ケースの上部には、該濾過ケースを該容器内に収容したときに前記フランジの上に重なる外向き張出部が設けられていることを特徴とする濾過器。
【請求項４】
請求項１ないし３のいずれか１項において、該濾過ケースの底部にメッシュが張設され、該メッシュの上側に活性炭層が形成されていることを特徴とする濾過器。
【請求項５】
請求項４において、該活性炭層の上にシート状フィルタを敷設してあることを特徴とする濾過器。
【請求項６】
請求項１ないし５のいずれか１項において、前記容器に把手又はハンドルが設けられていることを特徴とする濾過器。
【発明の詳細な説明】
【技術分野】
【０００１】
本発明は清掃廃水などの廃水を手軽に濾過することができる濾過器に関するものである。
【背景技術】
【０００２】
床清掃等に用いた雑巾、不織布などの掃除用具等をバケツ等で洗った場合、この廃水はそのまま下水に流すことが多いが、油分、溶剤、あるいは界面活性剤が含まれていたりすることがあるため、一旦処理してから流すことが望ましい。
【０００３】
簡易な濾過器として、特開平１１−２０７３２１号には、活性炭を収容した浄化容器を水受け容器の上に載せ、該浄化容器内に被処理水を流し込み、濾過水を下側の水受け容器で受けるようにした簡易浄水器が記載されている。
【特許文献１】特開平１１−２０７３２１号公報
【発明の開示】
【発明が解決しようとする課題】
【０００４】
上記特開平１１−２０７３２１号公報の簡易浄水器は、災害時や野外レジャー等に用いられるものであり、清掃廃水の浄化を企図したものではない。同号の簡易浄水器は、上側の浄化容器の方が下側の水受け容器よりも大きいため、使用終了後に運搬する際には、浄化容器から垂れ落ちる水を受け止めることができない。従って、仮に同号の簡易浄水器を清掃廃水の浄化に用いたときには、使用後に浄化容器を収容するための別容器が必要となる。
【０００５】
本発明は、上記従来の問題点を解決し、使用後に濾過ケースから垂れ落ちる水を容器で受け止めることができ、しかも非使用時の嵩が小さい濾過器を提供することを目的とする。
【課題を解決するための手段】
【０００６】
本発明（請求項１）の濾過器は、上部が開放した容器と、該容器内に収容された収容状態及び該容器上に起立した使用状態を採り得る濾過ケースとを備えてなり、該使用状態にある濾過ケース内に廃水を流し込み、濾過ケース底部から流出した濾過水を該容器内に落下させるようにしてなるものである。
【０００７】
請求項２の濾過器は、請求項１において、該容器及び濾過ケースはいずれも円筒状であり、該容器の上部内周には内向き鍔状のフランジが周設され、該フランジの内周縁には複数の切欠部が設けられており、前記濾過ケースの下部外周には、収容時には該切欠部を通過しうると共に使用時には該フランジの上に載置しうる突部が設けられていることを特徴とするものである。
【０００８】
請求項３の濾過器は、請求項２において、該濾過ケースの高さは該容器よりも小さく、該濾過ケースの上部には、該濾過ケースを該容器内に収容したときに前記フランジの上に重なる外向き張出部が設けられていることを特徴とするものである。
【０００９】
請求項４の濾過器は、請求項１ないし３のいずれか１項において、該濾過ケースの底部にメッシュが張設され、該メッシュの上側に活性炭層が形成されていることを特徴とするものである。
【００１０】
請求項５の濾過器は、請求項４において、該活性炭層の上にシート状フィルタを敷設してあることを特徴とするものである。
【００１１】
請求項６の濾過器は、請求項１ないし５のいずれか１項において、前記容器に把手又はハンドルが設けられていることを特徴とするものである。
【発明の効果】
【００１２】
本発明の濾過器は、使用時には容器の上に濾過ケースを起立させ、この濾過ケース内に廃水を流し込む。濾過された水は、濾過ケースの底部から容器内に落下する。
【００１３】
非使用時には、この濾過ケースを容器内に納め込む。こうすると、濾過ケースから垂れ落ちる水が容器で受け止められるので、水受けトレーなどを用いることなくそのまま保管したり運搬したりすることができる。
【００１４】
本発明では、該容器及び濾過ケースはいずれも円筒状であり、容器の上部内周には内向き鍔状のフランジが周設され、該フランジの内周縁には複数の切欠部が設けられており、前記濾過ケースの下部外周には、収容時には該切欠部を通過しうると共に使用時には該フランジの上に載置しうる突部が設けられている構成（請求項２）とすることにより、突部が切欠部に重ならないように濾過ケースの向きを選定するだけで濾過ケースを容器の上に起立させることができ、使い勝手が良い。
【００１５】
濾過ケースの高さを容器よりも小さくし、該濾過ケースを該容器内に収容したときに前記フランジの上に重なる外向き張出部を設けておく（請求項３）と、濾過ケースを容器に収容したときに濾過ケースの下端が容器底面から浮いた状態となり、濾過ケース内の水切りが良好となる。
【００１６】
この濾過ケース内に活性炭層を設けておく（請求項４）ことにより、濾過水の水質が良好なものとなる。活性炭層の上に不織布などのシート状フィルタを敷いておく（請求項５）と、活性炭層がゴミで目詰りしにくくなる。
【００１７】
容器に把手又はハンドルを設けておく（請求項６）と、濾過器の運搬が容易となる。
【発明を実施するための最良の形態】
【００１８】
以下、図面を参照して実施の形態について説明する。第１図は実施の形態に係る濾過器の斜視図、第２図はこの濾過器の使用状態の斜視図、第３図はこの濾過器の使用状態の断面図、第４図はこの濾過器の非使用状態の斜視図、第５図はこの濾過器の非使用状態の断面図（第４図のＶ−Ｖ線断面図）である。なお、第１，２図及び第３図（ａ）では、容器及び濾過ケースの構成の明示のために、活性炭層の図示を省略している。
【００１９】
この濾過器は、それぞれ円筒状の容器１と濾過ケース５とを備えている。容器１は上部が開放しており、この上部の内周には内向き鍔状のフランジ２が周設されている。このフランジ２の内周縁には、周方向四等分位置に切欠部３が設けられている。容器１にはハンドル４が設けられている。
【００２０】
濾過ケース５は、底面及び上面が開放しており、底面にはメッシュ６，７が張設されている。下側のメッシュ６は粗目であり、上側のメッシュ７は細目である。第３図（ｂ）の通り、このメッシュ７上に活性炭層８が形成されている。濾過ケース５の下部外周から突部９が突設されている。この突部９は周方向の四等分位置に設けられている。
【００２１】
濾過ケース５の外径はフランジ２の内径よりも小であり、また突部９は切欠部３を通過しうる大きさとなっている。濾過ケース５の上端からは外向き鍔状の張出部としてのフランジ１０が突設されている。濾過ケース５の高さは容器１よりも小さいものとなっている。
【００２２】
この濾過器を用いて廃水濾過を行うには、第２，３図の如く濾過ケース５を容器１の上に起立させる。この場合、突部９をフランジ２の上に載荷させる。第３図（ｂ）の如く、活性炭層８を覆うように不織布、織布、紙フィルタ等のシート状フィルタ（この実施の形態では不織布１１）を敷き、濾過ケース５内に廃水を流し込む。この廃水は、活性炭層８で濾過されて容器１内に清浄な水が落下する。この水は下水等に流すことができる。
【００２３】
濾過器の使用が終了した後は、突部９が切欠部３に合致するように濾過ケース５の向きを変え、第４，５図の通り濾過ケース５を容器１内に収容する。この際、突部９は切欠部３を通過し、フランジ１０がフランジ２に重なる。濾過ケース５の高さが容器１よりも小さいので、濾過ケース５の底面は容器１の底面から浮いた状態となり、濾過ケース５の水切りが良くなる。この濾過ケース５の収容状態にあっては、第４図の２点鎖線で示すようにハンドル４を上方に回動させ、持ち運ぶことができる。なお、不織布１１は適宜新品と取り替える。
【００２４】
この実施の形態では切欠部３及び突部９を４個ずつ設けているが、３個又は５個以上であってもよい。ただし、濾過ケース５の起立姿勢を安定させると共に、突部９が切欠部３に落ちにくいようにするためには、４〜６個程度が好適である。
【００２５】
第６図（ａ）は角筒形の容器１２及び濾過ケース１５よりなる濾過器を示す分解斜視図、第６図（ｂ）はその使用時の縦断面図である。この実施の形態では、容器１２及び濾過ケース１５は平面視形状が正方形である。
【００２６】
この容器１２は、上面が開放し、上端から外向きにフランジ１３が突設されている。容器１２にはハンドル１４が回動自在に取り付けられている。
【００２７】
濾過ケース１５は、上面及び底面が開放した角筒形である。濾過ケース１５の一辺の長さ（外寸）は容器１２の一辺の長さ（内寸）よりも小であり、濾過ケース１５は容器１２内に入り込み得る。ただし、濾過ケース１５の対角線長さは容器１２の一辺の長さよりも大である。濾過ケース１５の高さは容器１２よりも小であり、濾過ケース１５の上端からは外向きにフランジ１９が突設されている。
【００２８】
濾過ケース１５の底部には粗目メッシュ１６が張設され、その上に細目メッシュ１７が張設されている。細目メッシュ１７の上に活性炭層２０が形成され、その上面は不織布２１で被覆されている。
【００２９】
この実施の形態の濾過器を使用するには、濾過ケース１５の側面が容器１２の側面と約４５゜の角度で斜交するように濾過ケース１５が容器１２の上に載設される。この場合、濾過ケース１５のコーナー部が容器１２よりも外方に張り出すが、この張り出したコーナー部から水が落ちないようにするために、濾過ケース１５内のコーナー部によるシール板１８が設けられており、メッシュ１６，１７の露呈部分のみが容器１２の上面開口に重なるように構成されている。
【００３０】
第６図（ｂ）の状態において濾過ケース１５内に廃水を注ぎ込み、濾過された水を容器１２で受ける。この濾過された水は下水へ流すことができる。
【００３１】
使用終了後は、濾過ケース１５を約４５゜回し、濾過ケース１５を容器１２内に収容する。この場合、フランジ１３，１９同士が重なり、濾過ケース１５の底部が容器１２の底面から浮いた状態となり、濾過ケース１５の水切りが良好なものとなる。この濾過器もハンドル１４を持って容易に運搬することができる。
【００３２】
なお、ハンドル４，１４の代わりに把手を設けてもよい。
【００３３】
上記実施の形態は本発明の一例であり、本発明は図示以外の態様をもとりうる。例えば、容器及び濾過ケースは平面視形状が楕円形や長方形であってもよい。
【図面の簡単な説明】
【００３４】
【図１】実施の形態に係る濾過器の斜視図である。
【図２】濾過器の使用状態の斜視図である。
【図３】濾過器の使用状態の断面図である。
【図４】濾過器の非使用状態の斜視図である。
【図５】濾過器の非使用状態の断面図（第４図のＶ−Ｖ線断面図）である。
【図６】（ａ）は角筒形の容器及び濾過ケースよりなる濾過器を示す分解斜視図、（ｂ）はその使用時の縦断面図である。
【符号の説明】
【００３５】
１，１２  容器
５，１５  濾過ケース
６，７，１６，１７  メッシュ
８，２０  活性炭層
１１，２１  不織布
【図１】
2005288258.tif 000003
【図２】
2005288258.tif 000004
【図３】
2005288258.tif 000005
【図４】
2005288258.tif 000006
【図５】
2005288258.tif 000007
【図６】
2005288258.tif 000008